(57)【要約】【課題】  不当に個人情報が入手されることなく、ディスプレイ近傍にいる人の構成等の周辺状況に合わせて広告情報を決定し発信するネットワークシステムを実現する。【解決手段】  情報提供システムと、携帯端末と、携帯端末の利用者情報を記憶する管理サーバとがデータ通信網で接続されるネットワークシステムであって、情報提供システムは、無線通信手段により提供するサービス内容に関するガイダンス情報を所定の範囲に発信し、携帯端末は、受信したガイダンス情報に基づいて情報提供システムに提供する個人情報を新たに生成する必要があるか否かを判断し、当該判断の結果に基づいて情報提供システムへの個人情報の送信を管理サーバに要求し、管理サーバは、送信要求情報と利用者情報に基づき生成した通行人情報を情報提供システムに送信し、情報提供システムは、出力データを受信した通行人情報に基づき決定された出力形式で出力する。【選択図】  図２
2012008612.tif 000002
【特許請求の範囲】
【請求項１】
データ通信網に接続される情報提供システムと携帯端末と管理サーバを有するネットワークシステムであって、
前記情報提供システムは、
情報出力手段と、
提供するサービス内容に関するガイダンス情報を所定の範囲に発信する第１の無線通信手段と、
前記データ通信網を介して前記管理サーバより送信される通行人情報を受信し、所定の出力データを前記通行人情報に基づき決定された出力形式で前記情報出力手段に出力する第１の制御部を有し、
前記携帯端末は、
前記ガイダンス情報を受信する第２の無線通信手段と、
前記ガイダンス情報に基づいて、前記情報提供システムに提供する個人情報を新たに生成する必要があるか否かを判断し、前記判断の結果に基づいて前記情報提供システムへの個人情報の送信を要求する送信要求情報を、前記データ通信網を介して前記管理サーバに送信する第２の制御部を有し、
前記管理サーバは、
前記携帯端末の利用者情報を記憶する記憶手段と、
前記送信要求情報と前記利用者情報とに基づき生成した前記通行人情報を、前記データ通信網を介して前記情報提供システムに送信する第３の制御部を有することを特徴とするネットワークシステム。
【請求項２】
情報出力手段と第１の無線通信手段を有する情報提供システムと、
第２の無線通信手段を有する携帯端末と、
前記携帯端末の利用者情報を記憶する記憶手段を有する管理サーバと
がデータ通信網で接続されるネットワークシステムにおける通信方法であって、
前記情報提供システムは、
前記第１の無線通信手段を介して提供するサービス内容に関するガイダンス情報を所定の範囲に発信するステップと、
前記携帯端末は、
前記第２の無線通信手段を介して受信したガイダンス情報に基づいて、前記情報提供システムに提供する個人情報を新たに生成する必要があるか否かを判断するステップと、
前記判断の結果に基づいて前記情報提供システムへの個人情報の送信を要求する送信要求情報を、前記データ通信網を介して前記管理サーバに送信するステップと、
前記管理サーバは、
前記データ通信網を介して受信した送信要求情報と前記利用者情報に基づき生成した通行人情報を、前記データ通信網を介して前記情報提供システムに送信するステップと、
前記情報提供システムは、
所定の出力データを、前記データ通信網を介して受信した通行人情報に基づき決定された出力形式で前記情報出力手段に出力するステップを有することを特徴とする通信方法
【請求項３】
管理サーバとデータ通信するための通信手段と、
個人情報の送信先を特定するサーバ識別情報を有するガイダンス情報を受信する無線通信手段を有する携帯端末であって、
前記ガイダンス情報に基づいて、前記サーバ識別情報で特定される情報提供システムに提供する個人情報を新たに生成する必要があるか否かを判断し、前記判断の結果に基づいて前記情報提供システムへの個人情報の送信を要求する送信要求情報を、前記通信手段を介して前記管理サーバに送信する制御部を有することを特徴とする携帯端末。
【請求項４】
前記携帯端末は、さらに、個人情報と前記管理サーバに登録されているデータ内容を示すサーバ登録情報とを記憶する記憶手段を有し、
前記情報提供システムに提供する個人情報を新たに生成する必要があるか否かの前記判断は、
前記サーバ登録情報として記憶されていない個人情報が、前記ガイダンス情報に基づき前記情報提供システムに提供する個人情報の候補として前記記憶手段から抽出されたとき、当該抽出された個人情報を前記情報提供システムに提供する個人情報とするか否かの利用者の選択に基づいて判断することを特徴とする請求項３に記載の携帯端末。
【請求項５】
管理サーバとデータ通信するための通信手段と、
個人情報の送信先を特定するサーバ識別情報を有するガイダンス情報を受信する無線通信手段を有する携帯端末に実行させる通信プログラムであって、
前記ガイダンス情報に基づいて、前記サーバ識別情報で特定される情報提供システムに提供する個人情報を新たに生成する必要があるか否かを判断するステップと、
前記判断の結果に基づいて前記情報提供システムへの個人情報の送信を要求する送信要求情報を、前記通信手段を介して前記管理サーバに送信するステップを有することを特徴とする通信プログラム。
【請求項６】
携帯端末および情報提供システムとデータ通信するための通信手段と、
前記携帯端末の利用者情報を記憶する記憶手段と、
前記携帯端末より送信される前記情報提供システムへの個人情報の送信要求情報を受信し、前記送信要求情報と前記利用者情報とに基づき生成した通行人情報を、前記通信手段を介して前記情報提供システムに送信する制御部を有することを特徴とする管理サーバ。
【請求項７】
携帯端末および情報提供システムとデータ通信するための通信手段と、
前記携帯端末の利用者情報を記憶する記憶手段を有する管理サーバに実行させる通信プログラムであって、
前記携帯端末から送信される前記情報提供システムへの個人情報の送信要求情報を受信するステップと、
前記送信要求情報と前記利用者情報に基づき生成した通行人情報を、前記通信手段を介して前記情報提供システムに送信するステップを有することを特徴とする通信プログラム。
【請求項８】
管理サーバとデータ通信するための通信手段と、
情報出力手段と、
提供するサービス内容に関するガイダンス情報を発信する無線通信手段と、
前記通信手段を介して前記管理サーバより送信される通行人情報を受信し、所定の出力データを前記通行人情報に基づき決定された出力形式で前記情報出力手段に出力する制御部を有することを特徴とする情報提供システム。
【請求項９】
管理サーバとデータ通信するための通信手段と、
情報出力手段と、
提供するサービス内容に関するガイダンス情報を発信する無線通信手段を有する情報提供システムに実行させる情報提供プログラムであって、
前記通信手段を介して前記管理サーバより送信される通行人情報を受信するステップと、
所定の出力データを前記通行人情報に基づき決定された出力形式で前記情報出力手段に出力するステップを有することを特徴とする情報提供プログラム。
【発明の詳細な説明】
【技術分野】
【０００１】
本発明は、店舗等に設置された表示端末やスピーカ等の情報出力手段に広告等の情報を提供するネットワークシステムに関する。
【背景技術】
【０００２】
近年、店舗や交通機関等の屋外に設置されている大型ディスプレイを広告媒体として、不特定の公衆に広告等の各種情報を提供する情報提供システムが導入されている。これら情報提供システムでは、予め定められた広告情報を一方的に発信するのではなく、大型ディスプレイを視聴している人や周辺を通行している人の構成等の周辺状況に合わせて広告情報を決定し発信することが望まれている。
【０００３】
特許文献１には、表示装置近傍の通行人が携帯する携帯電話に年齢や性別等の個人情報の送信を要求し、この個人情報の送信要求に応答して携帯電話から送信された年齢や性別等の個人データを収集し、通行人の年齢構成及び性別構成に合わせて広告データを選択し表示する情報提供システムが開示されている。
【０００４】
特許文献２には、情報収集装置が、携帯情報端末から受信した個人ＩＤを個人特定手段に送信し、個人特定手段は、情報収集装置から送信された個人ＩＤの個人情報を個人情報データベースから取得し、取得した複数の個人情報から情報収集装置の近距離無線通信システムのエリア内に位置するユーザの傾向を推定し、推定に基づいて最適な情報を検索し提供する情報提供サービスシステムが開示されている。
【先行技術文献】
【特許文献】
【０００５】
【特許文献１】特開２００４−１５７４９８号公報
【特許文献２】特開２００３−１６７８９９号公報
【発明の概要】
【発明が解決しようとする課題】
【０００６】
しかしながら、特許文献１の情報提供システムでは、表示装置近傍から偽りの情報とともに氏名や住所等の個人情報の送信要求を無線通信で送信し、この個人情報の送信要求に応答して携帯電話から無線送信される個人情報を入手するという情報提供システムそのものを詐称する、いわゆる「なりすまし」を行う不正システムからの送信要求に応じないセキュリティ対策が必要となる。つまり、個人情報の送信要求に応じる情報提供システムの事前登録等が携帯電話所有者によって成される必要があり、情報提供システムを利用する側に多大な負荷を与えてしまう。さらに、携帯電話所有者による情報提供システムの事前登録等を可能とするために、運用しようとする情報提供システムの存在を携帯電話所有者に認知してもらう必要があり、情報提供システムを運用する側にも多大な負荷を与えてしまう。
【０００７】
また、特許文献２の情報提供サービスシステムでは、携帯情報端末から送信される情報は個人ＩＤのみであるため、個人情報データベースに登録されている個人情報が過去の古い個人情報である場合や、情報提供サービスシステムとして要求する個人情報が登録されていない場合には、発信情報収集装置の近距離無線通信システムのエリア内に位置するユーザの傾向を誤ってしまい最適な情報が提供できない場合が生じる。
【０００８】
本発明は、上記の問題に鑑みてなされたものであり、その目的は、不当に個人情報が入手されることなく、屋外設置されているディスプレイを視聴している人や周辺を通行している人の構成等の周辺状況に合わせて広告情報を決定し発信するネットワークシステムを実現することにある。
【課題を解決するための手段】
【０００９】
〔ネットワークシステム〕
本発明のネットワークシステムは、データ通信網に接続される情報提供システムと携帯端末と管理サーバを有するネットワークシステムであって、情報提供システムは、情報出力手段と、提供するサービス内容に関するガイダンス情報を所定の範囲に発信する第１の無線通信手段と、データ通信網を介して管理サーバより送信される通行人情報を受信し、所定の出力データを通行人情報に基づき決定された出力形式で情報出力手段に出力する第１の制御部を有し、携帯端末は、ガイダンス情報を受信する第２の無線通信手段と、ガイダンス情報に基づいて、情報提供システムに提供する個人情報を新たに生成する必要があるか否かを判断し、当該判断の結果に基づいて情報提供システムへの個人情報の送信を要求する送信要求情報を、データ通信網を介して管理サーバに送信する第２の制御部を有し、管理サーバは、携帯端末の利用者情報を記憶する記憶手段と、送信要求情報と利用者情報とに基づき生成した通行人情報を、データ通信網を介して情報提供システムに送信する第３の制御部を有することを特徴とする。
【００１０】
〔ネットワークシステムにおける通信方法〕
さらに、本発明のネットワークシステムにおける通信方法は、情報出力手段と第１の無線通信手段を有する情報提供システムと、第２の無線通信手段を有する携帯端末と、携帯端末の利用者情報を記憶する記憶手段を有する管理サーバとがデータ通信網で接続されるネットワークシステムにおける通信方法であって、情報提供システムは、第１の無線通信手段を介して提供するサービス内容に関するガイダンス情報を所定の範囲に発信するステップと、携帯端末は、第２の無線通信手段を介して受信したガイダンス情報に基づいて、情報提供システムに提供する個人情報を新たに生成する必要があるか否かを判断するステップと、当該判断の結果に基づいて情報提供システムへの個人情報の送信を要求する送信要求情報を、データ通信網を介して管理サーバに送信するステップと、管理サーバは、データ通信網を介して受信した送信要求情報と利用者情報に基づき生成した通行人情報を、データ通信網を介して情報提供システムに送信するステップと、情報提供システムは、所定の出力データを、データ通信網を介して受信した通行人情報に基づき決定された出力形式で情報出力手段に出力するステップを有することを特徴とする。
【００１１】
〔携帯端末〕
本発明の携帯端末は、管理サーバとデータ通信するための通信手段と、個人情報の送信先を特定するサーバ識別情報を有するガイダンス情報を受信する無線通信手段を有する携帯端末であって、ガイダンス情報に基づいて、サーバ識別情報で特定される情報提供システムに提供する個人情報を新たに生成する必要があるか否かを判断し、当該判断の結果に基づいて情報提供システムへの個人情報の送信を要求する送信要求情報を、通信手段を介して管理サーバに送信する制御部を有することを特徴とする。
【００１２】
好ましくは、本発明の携帯端末は、さらに、個人情報と管理サーバに登録されているデータ内容を示すサーバ登録情報とを記憶する記憶手段を有し、情報提供システムに提供する個人情報を新たに生成する必要があるか否かの判断は、サーバ登録情報として記憶されていない個人情報が、ガイダンス情報に基づき情報提供システムに提供する個人情報の候補として記憶手段から抽出されたとき、当該抽出された個人情報を情報提供システムに提供する個人情報とするか否かの利用者の選択に基づいて判断することを特徴とする。
【００１３】
〔携帯端末の通信プログラム〕
さらに、本発明の携帯端末の通信プログラムは、管理サーバとデータ通信するための通信手段と、個人情報の送信先を特定するサーバ識別情報を有するガイダンス情報を受信する無線通信手段を有する携帯端末に実行させる通信プログラムであって、ガイダンス情報に基づいて、サーバ識別情報で特定される情報提供システムに提供する個人情報を新たに生成する必要があるか否かを判断するステップと、前記判断の結果に基づいて情報提供システムへの個人情報の送信を要求する送信要求情報を、通信手段を介して管理サーバに送信するステップを有することを特徴とする。
【００１４】
〔管理サーバ〕
本発明の管理サーバは、携帯端末および情報提供システムとデータ通信するための通信手段と、携帯端末の利用者情報を記憶する記憶手段と、携帯端末より送信される情報提供システムへの個人情報の送信要求情報を受信し、送信要求情報と利用者情報とに基づき生成した通行人情報を、通信手段を介して情報提供システムに送信する制御部を有することを特徴とする。
【００１５】
〔管理サーバの通信プログラム〕
さらに、本発明の管理サーバの通信プログラムは、携帯端末および情報提供システムとデータ通信するための通信手段と、携帯端末の利用者情報を記憶する記憶手段を有する管理サーバに実行させる通信プログラムであって、携帯端末から送信される情報提供システムへの個人情報の送信要求情報を受信するステップと、送信要求情報と利用者情報に基づき生成した通行人情報を、通信手段を介して情報提供システムに送信するステップを有することを特徴とする。
【００１６】
〔情報提供システム〕
本発明の情報提供システムは、管理サーバとデータ通信するための通信手段と、情報出力手段と、提供するサービス内容に関するガイダンス情報を発信する無線通信手段と、通信手段を介して管理サーバより送信される通行人情報を受信し、所定の出力データを通行人情報に基づき決定された出力形式で情報出力手段に出力する制御部を有することを特徴とする。
【００１７】
〔情報提供システムの情報提供プログラム〕
さらに、本発明の情報提供システムの情報提供プログラムは、管理サーバとデータ通信するための通信手段と、情報出力手段と、提供するサービス内容に関するガイダンス情報を発信する無線通信手段を有する情報提供システムに実行させる情報提供プログラムであって、通信手段を介して管理サーバより送信される通行人情報を受信するステップと、所定の出力データを通行人情報に基づき決定された出力形式で情報出力手段に出力するステップを有することを特徴とする。
【発明の効果】
【００１８】
本発明のネットワークシステムの携帯端末では、広告等の情報を提供する情報提供システムに、携帯端末の個人情報を管理する管理サーバ経由で、携帯端末所有者の個人情報を送信していることから、携帯端末所有者による個人情報の送信要求に応じるか否かの事前登録等を行なわなくとも、いわゆる「なりすまし」による個人情報の漏洩が防止できる。
【００１９】
また、本発明のネットワークシステムの携帯端末では、情報提供システムより無線送信されたガイダンス情報に基づいて、情報提供システムに提供する個人情報を新たに生成する必要があるか否かを判断し、管理サーバに情報提供システムへの個人情報の送信を要求している。さらに、本発明のネットワークシステムの管理サーバでは、携帯端末から送信された情報提供システムへの個人情報の送信要求に基づいて、携帯端末所有者の個人情報を情報提供システムに送信している。このことから、管理サーバに登録されている個人情報と携帯端末利用者の現状とが合致していない場合や、管理サーバに未登録の個人情報が要求された場合や、要求された個人情報に対応する個人情報が複数登録されている場合においても、携帯端末所有者の現状や目的に応じた個人情報が情報提供システムに送信され、情報提供システムでは、設置されているディスプレイを視聴している人や周辺を通行している人の構成等の周辺状況に合った広告情報を発信することができる。
【図面の簡単な説明】
【００２０】
【図１】本発明の実施の形態に係るネットワークシステム１の全体構成図である。
【図２】ネットワークシステム１における動作概要を示すシーケンス図である。
【図３】ガイダンス情報４２５２のデータ構造を示す図である。
【図４】星座占いを提供情報とする情報提供システム４０の表示例を示すイメージ図である。
【図５】天気予報を提供情報とする情報提供システム４０の表示例を示すイメージ図である。
【図６】情報提供システム４０における表示端末４２のハードウェア構成を示すブロック図である。
【図７】情報提供システム４０における表示端末制御サーバ４１のハードウェア構成を示すブロック図である。
【図８】ガイダンス情報発信部４２１における処理手順を示すフローチャートである。
【図９】表示制御部４２３における処理手順を示すフローチャートである。
【図１０】表示端末制御部４１１における処理手順を示すフローチャートである。
【図１１】情報提供システム５０における表示端末５２のハードウェア構成を示すブロック図である。
【図１２】情報提供システム５０における表示端末制御サーバ５１のハードウェア構成を示すブロック図である。
【図１３】情報提供システム６０のハードウェア構成を示すブロック図である。
【図１４】第２表示制御部６０１における処理手順を示すフローチャートである。
【図１５】携帯端末１０のハードウェア構成を示すブロック図である。
【図１６】携帯端末１０に記憶される個人情報１０５１のデータ構造を示す図である。
【図１７】携帯端末１０における処理手順を示すフローチャートである。
【図１８】管理サーバ２０のハードウェア構成を示すブロック図である。
【図１９】管理サーバ２０に記憶される利用者情報２０５１のデータ構造を示す図である。
【図２０】管理サーバ２０における処理手順を示すフローチャートである。
【発明を実施するための形態】
【００２１】
以下、図面を参照しつつ、本発明の実施の形態について説明する。以下の説明では、携帯電話やＰＤＡ（Ｐｅｒｓｏｎａｌ  Ｄａｔａ  Ａｓｓｉｓｔａｎｃｅ）に代表される利用者が携帯する移動体端末や、カーナビゲーション装置に代表される車両に搭載される移動体端末を総称して「携帯端末」と呼称している。
【００２２】
また、さまざまなハードウェア構成と成り得る「情報提供システム」を機能として説明する場合は「情報提供システム」の１つのハードウェア構成を例示する「情報提供システム４０」を用いて説明している。
【００２３】
さらに、処理内容の説明においては、「ステップ」を「Ｓ」で表し、各々の処理を数字で区別している。
【００２４】
〔ネットワークシステム１の全体構成〕
図１は、本発明の実施の形態に係るネットワークシステム１のシステム全体構成の一例を示す。
【００２５】
ネットワークシステム１は、屋外に設置されているディスプレイを広告媒体として不特定の公衆に広告等の各種情報を提供する情報提供システム４０、第２情報提供システム５０及び第３情報提供システム６０と、情報提供システム４０から情報提供を受ける利用者が各々所有する携帯端末１０Ａ及び携帯端末１０Ｂ（以下、総称して携帯端末１０と呼称する）と、携帯端末１０の利用者情報を管理する管理サーバ２０と、インターネット網に代表される公衆のデータ通信網７０を含んで構成され、情報提供システム４０、第２情報提供システム５０及び第３情報提供システム６０と、携帯端末１０と、管理サーバ２０はデータ通信網７０を介して通信可能に接続されている。
【００２６】
ここで、情報提供システム４０は、提供情報を表示する表示手段４２６を有する表示端末４２Ａ及び表示端末４２Ｂ（以下、総称して表示端末４２と呼称する）と、表示端末４２の提供情報の表示を制御する表示端末制御サーバ４１で構成され、表示端末制御サーバ４１と管理サーバ２０はデータ通信網７０を介して通信可能に接続され、さらに、表示端末制御サーバ４１と表示端末４２もデータ通信網７０を介して通信可能に接続されている。
【００２７】
また、情報提供システム５０は、情報提供システム４０と別のハードウェア構成をとる情報提供システムであり、提供情報を表示する表示手段４２６を有する表示端末５２Ａ及び表示端末５２Ｂ（以下、総称して表示端末５２と呼称とする）と、表示端末５２の提供情報の表示を制御する表示端末制御サーバ５１とＬＡＮ網５３で構成され、表示端末制御サーバ５１は管理サーバ２０とデータ通信網７０を介して通信可能に接続され、さらに、表示端末５２と表示端末制御サーバ４１はＬＡＮ網５３を介して通信可能に接続されている。
【００２８】
さらに、情報提供システム６０は、情報提供システム４０や情報提供システム５０と別のハードウェア構成をとる情報提供システムであり、提供情報を表示する表示手段４２６を内蔵し、通信網７０を介してデータ管理サーバ２０と通信可能に接続される表示端末態様の装置のみで構成される。
【００２９】
なお、本発明の実施の形態に係るネットワークシステム１では、ハードウェア構成の異なる３つの情報提供システムを構成要件として含めている。しかしながら、情報提供システムの数量やハードウェア構成は、例示であって制限的なものではない。
【００３０】
〔ネットワークシステム１の動作概要〕
図２は、ネットワークシステム１における動作概要を示す。
【００３１】
ネットワークシステム１において、情報提供システム４０は、表示提供している内容や性別年齢等の送信を要求する個人情報の種類に関する情報を含むガイダンス情報４２５２を、広告媒体とするディスプレイの設置周辺に無線発信する（Ｓ００１）。
【００３２】
情報提供システム４０が広告媒体とするディスプレイが設置されている周辺に位置する携帯端末１０Ａ及び携帯端末１０Ｂは、無線発信されたガイダンス情報４２５２を受信し（Ｓ００２Ａ，Ｓ００２Ｂ）、既に管理サーバ２０に登録されている端末利用者の個人情報の登録状況等を含め、受信したガイダンス情報４２５２に応じる端末利用者の応答用の個人情報を生成する（Ｓ００３Ａ，Ｓ００３Ｂ）。
【００３３】
さらに、携帯端末１０Ａ及び携帯端末１０Ｂは、生成した応答用の個人情報、及び携帯端末利用者を特定する識別情報、受信したガイダンス情報４２５２を送信パラメータとして、ガイダンス情報４２５２を無線発信した情報提供システムに個人情報の送信を要求する要求コマンドを管理サーバ２０に送信する（Ｓ００４Ａ，Ｓ００４Ｂ）。
【００３４】
管理サーバ２０は、不特定の携帯端末から送信される個人情報の送信を要求する要求コマンドを受信し（Ｓ００５）、要求コマンドを送信した携帯端末利用者が正規の利用者かどうかの認証（Ｓ００６）と、個人情報を送信する情報提供システムが正規のシステムもしくは不当でないシステムかどうかの認証を行う（Ｓ００７）。
【００３５】
さらに、管理サーバ２０は、送信パラメータの応答用の個人情報と既に登録されている要求コマンドを送信した携帯端末利用者の個人情報をベースとして通行人情報を生成（Ｓ００８）し、生成した通行人情報を送信パラメータのガイダンス情報４２５２に基づく情報提供システムに送信する（Ｓ００９）。
【００３６】
情報提供システム４０は、ガイダンス情報４２５２を発信する間隔と同様の間隔で、管理サーバ２０から送信される通行人情報を集計し（Ｓ０１０）、集計された通行人情報に基づき、提供情報の表示形式を決定して（Ｓ０１１）、決定がなされた表示形式に基づき提供情報を表示更新する（Ｓ０１２）。
【００３７】
このように、ネットワークシステム１では、ガイダンス情報４２５２の無線発信（Ｓ００１）に始まり、決定がなされた表示形式に基づく提供情報の表示更新（Ｓ０１２）で終わる一連のシーケンスを１サイクルとして、所定の時間間隔で繰り返される。
【００３８】
〔ガイダンス情報４２５２のデータ構造〕
図３は、情報提供システム４０から無線発信されるガイダンス情報４２５２のデータ構造およびデータ例を示す。
【００３９】
図３（Ａ）に示されるように、ガイダンス情報４２５２には、情報提供システムを識別するための情報提供システム識別情報４２５２Ａ、及び情報提供システムが提供する概要を示すサービス名４２５２Ｃやサービス種４２５２Ｄを含む。ガイダンス情報４２５２を無線受信した携帯端末１０は、これらデータに基づいて、ガイダンス情報４２５２を発信した情報提供システムを特定する。また、ガイダンス情報４２５２を個人情報の送信要求の送信パラメータとして受信した管理サーバ２０は、これらデータに基づいて、通行人情報を送信する情報提供システムを特定する。
【００４０】
ガイダンス情報４２５２には、表示端末を識別するための表示端末識別情報４２５２Ｂを含む。この表示端末識別情報４２５２Ｂは、表示端末４２の各々に対し予め個別に定められた識別コードであり、情報提供システムとして表示端末４２の各々を個別に表示形式を決定して提供情報を表示する際に用いられる。
【００４１】
さらに、ガイダンス情報４２５２には、送信要求情報種４２５２Ｅを含む。ガイダンス情報４２５２を無線受信した携帯端末１０は、この送信要求情報種４２５２Ｅの内容に基づいて、管理サーバ２０で通行人情報を生成可能とするための応答用の個人情報を生成する。また、ガイダンス情報４２５２を個人情報の送信要求の送信パラメータとして受信した管理サーバ２０は、この送信要求情報種４２５２Ｅの内容に基づいて、情報提供システムに送信する通行人情報を生成する。
【００４２】
図３（Ｂ）には、サービス名４２５２Ｃが「星座占い」、サービス種５２５２Ｄが「占い」に設定される「今日の星座占い」を提供情報とする情報提供システムのガイダンス情報４２５２を例示している。
【００４３】
図１を参照して、情報提供システム識別情報４２５２Ａには、情報提供システム４０における表示端末制御サーバ４１、又は情報提供システム５０における表示端末制御サーバ５１、又は情報提供システム６０を通信網７０上で特定するデータ通信用の識別コードが設定される。
【００４４】
また、表示端末識別情報４２５２Ｂには、情報提供システム４０では、表示端末４２の各々の表示端末を通信網７０上で特定するデータ通信用の識別コードが設定される。また、情報提供システム５０では、表示端末５２の各々の表示端末をＬＡＮ網５３上で特定するデータ通信用の識別コードが設定される。なお、情報提供システム６０では、この表示端末識別情報４２５２Ｂは使用されない、又は情報提供システム識別情報４２５２Ａと同様の内容が設定される。
【００４５】
送信要求情報種４２５２Ｅには、数多い通行人の誕生星座の占い結果を優先的に表示するため「星座／誕生日（月日）」が設定される。ここで、「／」の前の「星座」は、情報提供システムが要求する情報種そのものを示し、「／」の後の「誕生日（月日）」は、情報提供システムが自動的に変換可能な情報種を示す。つまり、「かに座」「いて座」等のように生まれた１２星座の１つを通行人情報として送信する代わりに、「４月１日」等のように「誕生日（月日）」を通行人情報として送信することをサポートする情報提供システムであることを意味する。
【００４６】
図３（Ｃ）には、サービス名４２５２Ｃが「各地の天気」、サービス種５２５２Ｄが「天気予報」に設定される「明日の各地の天気」を提供情報とする情報提供システムのガイダンス情報４２５２を例示している。
【００４７】
ここで、情報提供システム識別情報４２５２Ａ、及び表示端末識別情報４２５２Ｂについては、上述した「今日の星座占い」を提供情報とする情報提供システムと同様の内容が設定され、詳細な説明は省略する。
【００４８】
送信要求情報種４２５２Ｅには、数多い通行人の帰宅場所の天気予報を優先的に表示するため「都道府県／住所，電話番号」が設定される。ここで、「／」の前の「都道府県」は、情報提供システムが要求する情報種そのものを示し、「／」の後の「住所，電話番号」は、情報提供システムが自動的に変換可能な情報種を示す。つまり、「大阪府」「北海道」等のように帰宅場所の「都道府県」を通行人情報として送信する代わりに、「天理市・・・」や「０７４３−６×−××××」等のように「都道府県」を特定可能に帰宅場所の「住所」や「電話番号」を通行人情報として送信することをサポートする情報提供システムであることを意味する。
【００４９】
さらに、図３（Ｄ）には、２以上の個人情報の送信を要求する情報提供システムのガイダンス情報４２５２を例示し、送信要求情報種４２５２Ｅには、数多い年齢と性別に合致する特典商品に関する情報を優先的に表示するため「年齢／誕生日（年）」と「性別」が２行に分けられて設定される。
【００５０】
また、図３（Ｅ）には、個人情報の送信を要求しない情報提供システムのガイダンス情報４２５２を例示し、送信要求情報種４２５２Ｅには、何も設定されていない。
【００５１】
〔提供情報の表示例〕
図４は、「今日の星座占い」を提供情報とする情報提供システム４０の表示例を示し、図４（Ａ）は、通行人の誕生星座が「かに座」「いて座」「おとめ座」…の順に多い状況である時の表示状態を示し、図４（Ｂ）は、通行人の誕生星座が「おとめ座」「いて座」「かに座」…の順に多い状況である時の表示状態を示す。
【００５２】
つまり、本情報提供システムでは、管理サーバ２０より送信される誕生星座に関する個人情報を含む通行人情報を所定の時間間隔で集計する。この集計結果をもとに、全表示エリアの約１／２サイズの表示エリアＡ１には第１位の星座の占い結果を表示し、全表示エリアの約１／４サイズの表示エリアＡ２、Ａ３には第２位、第３位の星座の占い結果を表示するとともに、第４位以降の星座の占い結果を表示エリアＡ４にスクロール表示する表示形式を決定し、決定がなされた表示形式で提供情報である星座の占い結果を表示する。
【００５３】
図５は、「明日の各地の天気」を提供情報とする情報提供システム４０の表示例を示し、図５（Ａ）は、通行人の「東京都」を除く帰宅場所が「大阪府」「北海道」…の順に多い状況である時の表示状態を示し、図５（Ｂ）は、通行人の帰宅場所が「大阪府」「京都府」…の順に多い状況である時の表示状態を示す。
【００５４】
つまり、本情報提供システムでは、全表示エリアの約１／２サイズの表示エリアＡ１に情報提供システム４０が設置されている「東京都」の明日の天気予測結果を表示する。また、管理サーバ２０より送信される「東京都」を除く帰宅場所に関する個人情報を含む通行人情報を所定の時間間隔で集計する。この集計結果をもとに、全表示エリアの約１／４サイズの表示エリアＡ２、Ａ３には第１位、第２位の都道府県の天気予測結果を表示するとともに、第３位以降の都道府県の天気予測結果を表示エリアＡ４にスクロール表示する表示形式を決定し、決定がなされた表示形式で提供情報である天気予測結果を表示する。
【００５５】
〔情報提供システム４０を構成する各装置のハードウェア構成〕
情報提供システム４０を構成する表示端末４２及び表示端末制御サーバ４１のハードウェア構成について、以下に説明する。
【００５６】
〔表示端末４２のハードウェア構成〕
図６は、情報提供システム４０における表示端末４２のハードウェア構成を示す。
【００５７】
表示端末４２は、提供情報を表示するための大型の薄型液晶ディスプレイに代表される表示手段４２６、提供情報４２５１やガイダンス情報４２５２などを記憶するためのハードディスクに代表される記憶手段４２５、ガイダンス情報４２５２を無線発信するためのＢｌｕｅｔｏｏｔｈ（登録商標）に代表される近距離用無線通信プロトコルを用いる近距離無線通信手段４２８、インターネット網に代表される公衆のデータ通信網７０を介して表示端末制御サーバ４１と通信可能に接続するための通信手段４２７、ガイダンス情報４２５２を無線発信するプログラムであるガイダンス情報発信部４２１や表示手段４２６に提供情報４２５１を表示するプログラムである表示制御部４２３を読み出し実行するためのＣＰＵ（Ｃｅｎｔｒａｌ  Ｐｒｏｃｅｓｓｉｎｇ  Ｕｎｉｔ）に代表される制御部４２０、ガイダンス情報発信部４２１や表示制御部４２３で用いられるデータを一時的に記憶するための一時記憶手段４２４で構成される。
【００５８】
〔表示端末制御サーバ４１のハードウェア構成〕
図７は、情報提供システム４０における表示端末制御サーバ４１のハードウェア構成を示す。
【００５９】
表示端末制御サーバ４１は、決定がなされた表示形式を送信することで提供情報の表示を制御する各々の表示端末４２を特定する表示端末情報４１５１などを記憶するためのハードディスクに代表される記憶手段４１５、インターネット網に代表される公衆のデータ通信網７０を介して表示端末４２及び管理サーバ２０と通信可能に接続するための通信手段４１７、表示端末４２の提供情報の表示を制御するプログラムである表示端末制御部４１１を読み出し実行するためのＣＰＵ（Ｃｅｎｔｒａｌ  Ｐｒｏｃｅｓｓｉｎｇ  Ｕｎｉｔ）に代表される制御部４１０、表示端末制御部４１１で用いられるデータを一時的に記憶するための一時記憶手段４１４で構成される。
【００６０】
〔ガイダンス情報発信部４２１の処理手順〕
図８は、ガイダンス情報発信部４２１の制御内容を示し、以下に説明する。
【００６１】
＜Ｓ１００＞
ガイダンス情報発信部４２１では、ガイダンス情報４２５２を発信する時刻と、表示端末制御サーバ４１における通行人情報を集計する時刻との同期をとるため、例えば、ガイダンス情報４２５２を発信する最初の時刻とガイダンス情報４２５２の発信の時間間隔とを含むガイダンス発信時刻情報を表示端末制御サーバ４１に送信する等の処理により、ガイダンス情報発信時刻を初期化する。
【００６２】
＜Ｓ１０２，Ｓ１０４＞
上述の処理に続き、近距離無線通信手段４２８を介して近傍に位置する任意の通信端末にガイダンス情報４２５２を送信し、このガイダンス情報４２５２の発信から所定時間が経過するまで待機する。所定時間の経過後、任意の通信端末にガイダンス情報４２５２を送信する処理に戻る。
【００６３】
〔表示制御部４２３の処理手順〕
図９は、表示制御部４２３の制御内容を示し、以下に説明する。
【００６４】
＜Ｓ１１０，Ｓ１１２＞
表示制御部４２３では、表示手段４２６に表示する提供情報４２５１を生成又は取得して記憶手段４２５に格納し、格納された提供情報４２５１を標準の表示形式で表示する。ここで、例えば「今日の星座占い」を提供情報とする情報提供システム４０では、表示エリアを同サイズに１２分割し各々の表示エリアに星座の占い結果を表示する表示形式を標準の表示形式とする等が例示される。
【００６５】
＜Ｓ１１４，Ｓ１１６＞
上述の処理に続き、表示端末制御サーバ４１から送信される提供情報４２５１を、通信手段４２７を介して受信し、受信した表示形式に基づいて提供情報を再表示する。
【００６６】
〔表示端末制御部４１１の処理手順〕
図１０は、表示端末制御部４１１の制御内容を示し、以下に説明する。
【００６７】
＜Ｓ１２０＞
表示端末制御部４１１では、通行人情報を集計する時刻と、表示端末４２におけるガイダンス情報４２５２を発信する時刻との同期をとるため、例えば、ガイダンス情報４２５２を発信する最初の時刻とガイダンス情報４２５２の発信の時間間隔とを含むガイダンス発信時刻情報を表示端末４２から受信する等の処理により、通行人情報集計時刻を初期化する。
【００６８】
＜Ｓ１２２，Ｓ１２４＞
上述の処理に続き、集計時刻に達したかどうかを判断し、集計時刻に達していないと判断した場合は、管理サーバ２０から通行人情報が送信されたかの判断を行う。ここで、集計時刻に達しておらず、通行人情報が送信されていないと判断した場合は、これらの判断処理を繰り返す。
【００６９】
＜Ｓ１２６＞
上述の判断処理で、通行人情報が送信されたと判断した場合は、通信手段４１７を介して通行人情報を受信し、一時記憶手段４１４に記憶して上述の判断処理に戻る。
【００７０】
＜Ｓ１２８〜Ｓ１３２＞
また、上述の判断処理で、集計時刻に達したと判断した場合は、一時記憶手段４１４に記憶されている通行人情報を集計して、提供情報４２５１の所定の項目の表示優先順を他の項目より高める等を定める新たな表示形式を決定し、決定がなされた新たな表示形式を記憶手段４１５の表示端末情報４１５１に記憶されている表示端末４２に通信手段４１７を介して送信する。さらに、一時記憶手段４１４に記憶されている通行人情報を初期化して、通行人情報集計時刻を初期化する処理に戻る。
【００７１】
〔情報提供システム５０を構成する各装置のハードウェア構成〕
情報提供システム５０を構成する表示端末５２及び表示端末制御サーバ５１のハードウェア構成について、以下に説明する。
【００７２】
〔表示端末５２のハードウェア構成〕
図１１は、情報提供システム５０における各々の表示端末５２のハードウェア構成を示す。なお、前述した情報提供システム４０における各々の表示端末４２の構成要素と同一の構成要素には、同一の参照符号を付している。従って、これらの構成要素の詳細な説明は省略する。
【００７３】
表示端末５２は、表示端末４２との比較において通信手段４２７がＬＡＮ通信手段５２７に置き換わっている点でのみ異なる。つまり、表示端末５２は、ＬＡＮ網５３を介して表示端末制御サーバ５１と通信可能に接続するためのＬＡＮ通信手段５２７を構成要素に含んでいる。
【００７４】
〔表示端末制御サーバ５１のハードウェア構成〕
図１２は、情報提供システム５０における表示端末制御サーバ５１のハードウェア構成を示す。なお、前述した情報提供システム４０における表示端末制御サーバ４１の構成要素と同一の構成要素には、同一の参照符号を付している。従って、これらの構成要素の詳細な説明は省略する。
【００７５】
表示端末制御サーバ５１は、表示端末制御サーバ４１との比較においてＬＡＮ通信手段５１７が追加されている点でのみ異なる。つまり、表示端末制御サーバ５１は、ＬＡＮ網５３を介して表示端末５２と通信可能に接続するための通信手段５１７を構成要素に含んでいる。
【００７６】
〔情報提供システム６０のハードウェア構成〕
図１３は、情報提供システム６０のハードウェア構成を示す。なお、前述した情報提供システム４０における各々の表示端末４２の構成要素と同一の構成要素には、同一の参照符号を付している。従って、これらの構成要素の詳細な説明は省略する。
【００７７】
情報提供システム６０は、表示端末４２との比較において、制御部４２０に読み出され実行されるプログラムの内容が相違する点でのみ異なる。つまり、情報提供システム６０は、表示端末４２の制御部４２０に読み出され実行される表示制御部４２３に代わって、提供情報の表示形式を決定し表示手段４２６に提供情報４２５１を表示する第２表示制御部６０１を構成要素に含んでいる。
【００７８】
〔第２表示制御部６０１の処理手順〕
図１４は、第２表示制御部６０１の制御内容を示し、以下に説明する。
【００７９】
＜Ｓ１５０＞
第２表示端末制御部６０１では、通行人情報を集計する時刻と、ガイダンス情報発信部４２１におけるガイダンス情報４２５２を発信する時刻との同期をとるため、通行人情報集計時刻を初期化する。
【００８０】
＜Ｓ１５２，Ｓ１５４＞
上述の処理に続き、集計時刻に達したかどうかを判断し、集計時刻に達していないと判断した場合は、管理サーバ２０から通行人情報が送信されたかの判断を行う。ここで、集計時刻に達しておらず、通行人情報が送信されていないと判断した場合は、これらの判断処理を繰り返す。
【００８１】
＜Ｓ１５６＞
上述の判断処理で、通行人情報が送信されたと判断した場合は、通信手段４２７を介して通行人情報を受信し、一時記憶手段４２４に記憶して上述の判断処理に戻る。
【００８２】
＜Ｓ１５８〜Ｓ１６２＞
また、上述の判断処理で、集計時刻に達したと判断した場合は、一時記憶手段４２４に記憶されている通行人情報を集計して、提供情報４２５１の所定の項目の表示優先順を他の項目より高める等を定める新たな表示形式を決定し、決定がなされた新たな表示形式に基づいて提供情報を再表示する。さらに、一時記憶手段４２４に記憶されている通行人情報を初期化して、通行人情報集計時刻を初期化する処理に戻る。
【００８３】
〔携帯端末１０のハードウェア構成〕
図１５は、携帯端末１０（携帯端末１０Ａ又は携帯端末１０Ｂ）のハードウェア構成を示す。
【００８４】
各々の携帯端末１０は、各種情報を表示するための表示手段１０６、各種入力操作を受け付けるための入力手段１０９、個人情報１０５１や管理サーバ情報１０５２などを記憶するための記憶手段１０５、情報提供システム４０より無線発信されるガイダンス情報４２５２を受信するためのＢｌｕｅｔｏｏｔｈ（登録商標）に代表される近距離用無線通信プロトコルを用いる近距離無線通信手段１０８、インターネット網に代表される公衆のデータ通信網７０を介して管理サーバ２０と通信可能に接続するための通信手段１０７、受信したガイダンス情報４２５２に応じる端末利用者の応答用の個人情報を生成し管理サーバ２０に送信するプログラムである送信要求制御部１０１を読み出し実行するためのＣＰＵ（Ｃｅｎｔｒａｌ  Ｐｒｏｃｅｓｓｉｎｇ  Ｕｎｉｔ）に代表される制御部１００、送信要求制御部１０１で用いられるデータを一時的に記憶するための一時記憶手段１０４で構成される。
【００８５】
〔個人情報１０５１のデータ構造〕
図１６は、携帯端末１０に記憶される個人情報１０５１のデータ構造およびデータ例を示す。
【００８６】
個人情報１０５１は、「自宅住所」「自宅電話」などを名称１０５１Ａとする複数の個人情報の各々に対して、利用者によって入力された当該個人情報のデータ内容自体を記憶する内容１０５１Ｂ、当該個人情報から自動的に生成することが可能な情報種を記憶する生成可能情報種１０５１Ｃ、当該個人情報を管理サーバ２０に登録したか否かを記憶するサーバ登録フラグ１０５１Ｄ、当該個人情報に対して管理サーバ２０に登録した内容を記憶するサーバ登録内容１０５１Ｅ、当該個人情報に対して管理サーバ２０に登録した内容の情報種を記憶するサーバ登録情報種１０５１Ｆが、対応付けて記憶することが可能なデータ構造となっている。
【００８７】
つまり、図１６に示すデータ例では、名称１０５１Ａを「自宅住所」とする個人情報は、内容１０５１Ｂに記憶されている「大阪府○○市●●町・・・・」をデータ内容とし、この個人情報から生成可能情報種１０５１Ｃに記憶されている「住所」「都道府県」「地域」を情報種とするデータを利用者の指示操作なしで自動的に生成することが可能であることを示している。また、この個人情報は、サーバ登録フラグ１０５１Ｄの記憶内容「１（登録済）」、サーバ登録内容１０５１Ｅの記憶内容「大阪府」、サーバ登録情報種１０５１Ｆの記憶内容「都道府県」で示されるように、管理サーバ２０に、登録内容「大阪府」、情報種「都道府県」で登録済の個人情報であることを示している。
【００８８】
〔携帯端末１０における制御部１００の処理手順〕
図１７は、携帯端末１０における制御部１００の制御内容を示し、以下に説明する。
【００８９】
＜Ｓ２００＞
制御部１００では、近距離無線通信手段１０８を介してガイダンス情報４２５２を受信するまで待機する。
【００９０】
＜Ｓ２０１，Ｓ２０２＞
上述の処理に続き、ガイダンス情報４２５２を受信すると、その旨を利用者に音声通知又はバイブレーション通知するとともに、受信したガイダンス情報４２５２のサービス名４２５２Ｃの内容を表示手段１０６に表示する。
【００９１】
＜Ｓ２０３＞
上述の処理に続き、受信したガイダンス情報４２５２の送信要求情報種４２５２Ｅにデータが設定されているかどうかを確認することで、ガイダンス情報４２５２を発信した情報提供システムが通行人の構成等の周辺状況を提供情報の表示に反映させる情報提供システムかどうかを判断し、通行人の構成等の周辺状況を提供情報の表示に反映しない情報提供システムであると判断した場合は、ガイダンス情報４２５２を受信するまで待機する処理に戻る。
【００９２】
＜Ｓ２０４〜Ｓ２１５＞
上述の判断処理で、通行人の構成等の周辺状況を提供情報の表示に反映する情報提供システムであると判断した場合は、受信したガイダンス情報４２５２の送信要求情報種４２５２Ｅの内容と記憶手段１０５に記憶されている個人情報１０５１の内容に基づいて、送信要求された個人情報に応じる応答用の個人情報を生成する。以下に応答用の個人情報の生成処理について詳述する。
【００９３】
＜Ｓ２０４−ＮＯ，Ｓ２０５＞
送信要求された個人情報に応じるデータが管理サーバ２０に登録されていない場合は、個人情報１０５１の中から送信要求された個人情報に一致する又は自動生成可能な個人情報を候補データとして抽出する。
【００９４】
＜Ｓ２０６〜Ｓ２０８＞
ここで、送信要求された個人情報に応じる候補データが複数抽出される場合は、抽出された候補データのいずれのデータを応答用の個人情報を生成するためのデータとするかを利用者に選択させる。つまり、例えば、「都道府県」情報の送信要求に対して、「自宅住所」「会社住所」の２つの応答可能な個人情報が記憶されている場合は、その選択を利用者に委ねる。
【００９５】
なお、候補データの選択を利用者が拒否した場合には、ガイダンス情報４２５２を受信するまで待機する処理に戻る。
【００９６】
また、候補データが一つも抽出されない場合は、送信要求された個人情報に応じるデータを利用者に新たに入力させる等の不図示の処理を行なっても構わない。
【００９７】
＜Ｓ２０４−ＹＥＳ，Ｓ２１１＞
送信要求された個人情報に応じるデータが管理サーバ２０に登録されている場合は、個人情報１０５１の中から送信要求された個人情報に一致する又は自動生成可能な個人情報であり、管理サーバ２０に登録されているデータと異なるデータを候補データとして抽出する。
【００９８】
＜Ｓ２１２〜Ｓ２１５＞
ここで、管理サーバ２０に登録されているデータ以外の候補データが抽出される場合は、管理サーバ２０に登録されているデータを用いるか、それとも候補データのいずれかのデータを用いるかを利用者に選択させる。つまり、例えば、「都道府県」情報の送信要求に対して、「自宅住所」「会社住所」の２つの応答可能な個人情報が存在する場合や、応答可能な個人情報として「自宅住所」しか存在しないが、管理サーバ２０に登録されているデータ内容と異なる場合は、いずれのデータを応答用の個人情報とするかの選択を利用者に委ねる。
【００９９】
なお、候補データの選択を利用者が拒否した場合には、ガイダンス情報４２５２を受信するまで待機する処理に戻る。
【０１００】
また、候補データが一つも抽出されない場合、管理サーバ２０に登録されているデータを利用者が選択した場合は、応答用の個人情報の生成は行なわない。
【０１０１】
＜Ｓ２０９＞
上述の処理に続き、抽出された候補データ、又は候補データが複数抽出された場合における利用者によって選択された候補データをベースに応答用の個人情報の生成を行なう。
【０１０２】
ここで、応答用の個人情報の生成とは、管理サーバ２０で受信可能なデータ形式に加工又は変換する処理を含む。つまり、例えば、「都道府県」情報の送信要求に対して、送信要求時に受信したデータ内容を変換又は加工することなく情報提供システムに送信する管理サーバ２０に送信要求する場合は、「自宅住所」などの住所データから都道府県データを抽出する、又は住所データから都道府県データを生成することで、応答用の個人情報を生成する。対して、管理サーバ２０で住所データを都道府県データに変換又は加工して情報提供システムに送信する場合は、抽出された又は利用者により選択された候補データそのものが応答用の個人情報として生成される。
【０１０３】
＜Ｓ２２０，Ｓ２２１＞
上述の応答用の個人情報の生成処理に続き、応答用の個人情報を生成した場合は生成した応答用の個人情報を含め、管理サーバ２０に個人情報の送信を要求するために予め管理サーバ２０より発行され設定された利用者を特定する権限情報と、受信したガイダンス情報４２５２とを送信パラメータとして、管理サーバ２０に個人情報の送信を要求し、ガイダンス情報４２５２を受信するまで待機する処理に戻る。
【０１０４】
〔管理サーバ２０のハードウェア構成〕
図１８は、管理サーバ２０のハードウェア構成を示す。
【０１０５】
管理サーバ２０は、利用者情報２０５１や情報提供システム情報２０５２などを記憶するための記憶手段２０５、インターネット網に代表される公衆のデータ通信網７０を介して携帯端末１０及び情報提供システム情報２０５２に記憶される情報提供システムと通信可能に接続するための通信手段２０７、受信した携帯端末１０からの個人情報の送信要求に応じる通行人情報を生成し要求された情報提供システムに送信するプログラムである送信要求応答部２０１を読み出し実行するためのＣＰＵ（Ｃｅｎｔｒａｌ  Ｐｒｏｃｅｓｓｉｎｇ  Ｕｎｉｔ）に代表される制御部２００、制御部２００で用いられるデータを一時的に記憶するための一時記憶手段２０４で構成される。
【０１０６】
〔利用者情報２０５１のデータ構造〕
図１９は、管理サーバ２０に記憶される利用者情報２０５１のデータ構造およびデータ例を示し、この利用者情報２０５１には、利用者毎に情報提供システムに送信する個人情報が記憶されている。
【０１０７】
利用者情報２０５１は、利用者毎に固有に割り当てられた権限情報２０５１Ａの各々に対して、「住所」「都道府県」などの管理サーバ２０に登録可能な複数の情報種２０５１Ｂの各々と、当該情報種に対して登録されている内容又は自動生成するためのルール情報を記憶する登録内容２０５１Ｃと、当該情報種に登録されている内容から自動的に生成することが可能な情報種を記憶する生成可能情報種２０５１Ｄとを対応付けて記憶することが可能なデータ構造となっている。
【０１０８】
つまり、図１９に示すデータ例では、権限情報２０５１Ａを「ユーザ１」とする利用者に対して、情報種２０５１Ｂを「住所」「電話番号」「メールアドレス」とするデータは登録されておらず、情報種２０５１Ｂを「都道府県」「誕生日」「性別」とするデータは各々「大阪府」「平成ＸＸ年ＹＹ月ＺＺ日」「女性」が登録されており、また、情報種２０５１Ｂを「地域」「年齢」「星座」とするデータは他の情報種の登録内容から自動生成するためのルールが登録されていることを示している。また、情報種２０５１Ｂを「都道府県」とするデータの登録内容「大阪府」からは「地域」を情報種とするデータを利用者の指示なしで自動的に生成することが可能であることを示している。
【０１０９】
〔管理サーバ２０における制御部２００の処理手順〕
図２０は、管理サーバ２０における制御部２００の制御内容を示し、以下に説明する。
【０１１０】
＜Ｓ３００＞
制御部２００では、通信手段２０７を介して任意の携帯端末１０から個人情報の送信要求を受信するまで待機する。
【０１１１】
＜Ｓ３０１＞
上述の処理に続き、個人情報の送信要求を受信すると、送信要求時の送信パラメータである権限情報で示される利用者が、記憶手段２０５に記憶されている利用者情報２０５１に登録されている正規の利用者かどうかを判断し、正規の利用者でないと判断した場合は、個人情報の送信要求を受信するまで待機する処理に戻る。
【０１１２】
＜Ｓ３０２＞
上述の処理に続き、送信要求時の送信パラメータであるガイダンス情報４２５２の情報提供システム識別情報４２５２Ａが、記憶手段２０５に記憶されている情報提供システム情報２０５２に登録されている正規の情報提供システムかどうかを判断し、正規の情報提供システムでないと判断した場合は、個人情報の送信要求を受信するまで待機する処理に戻る。
【０１１３】
＜Ｓ３０３〜Ｓ３０６＞
上述の処理に続き、送信要求時の送信パラメータである応答用の個人情報と、記憶手段２０５に記憶されている利用者情報２０５１に登録されている送信要求者の個人情報に基づいて、情報提供システムに送信する通行人情報を生成する。
【０１１４】
つまり、送信要求時の送信パラメータに応答用の個人情報を含む場合は、この応答用の個人情報をベースに通行人情報を生成するとともに利用者情報２０５１に更新記憶する。一方で、送信要求時の送信パラメータに応答用の個人情報を含まない場合は、利用者情報２０５１に記憶されている個人情報をベースに通行人情報を生成する。
【０１１５】
＜Ｓ３０７＞
上述の処理に続き送信要求時の送信パラメータであるガイダンス情報４２５２の情報提供システム識別情報４２５２Ａの情報提供システムに生成した通行人情報を送信し、個人情報の送信要求を受信するまで待機する処理に戻る。
【０１１６】
〔プログラム製品の形態〕
ここで、本実施の形態に係る端末又はサーバの制御部に読み出される、上述した図８〜図１０、図１４、図１７、図２０に従う各々の制御プログラムは、本実施の形態に係る端末又はサーバに付属する記録媒体に予め記録させて、プログラム製品として提供することもできる。このような記録媒体としては、ＣＤ（Ｃｏｍｐａｃｔ  Ｄｉｓｃ）やメモリカードなどのそれぞれの端末又はサーバで読取り可能な記録媒体がある。あるいは、本実施の形態に係る端末又はサーバに内蔵するハードディスクなどの記録媒体に記録させて提供することもできる。さらに、インターネットを含む各種ネットワークを介するダウンロードによって提供することもできる。
【０１１７】
なお、オペレーティングシステムの一部として様々なプログラムモジュールを用意しておき、各々の制御プログラムは、これらモジュールを必要なときに呼び出して処理を進める方式が一般的である。このような場合、本実施の形態に係る端末又はサーバを実現するための各々の制御プログラム自体には、これらモジュールは含まれず、オペレーティングシステムと協働して実現されることになる。しかし、一般的なオペレーティングシステムを使用する限り、これらモジュールを含ませた各々の制御プログラムを流通させる必要はなく、これらモジュールを含まない各々の制御プログラム自体およびそれら各々の制御プログラムを記録した記録媒体（およびそれら各々の制御プログラムがネットワーク上を流通する場合のデータ信号）が実施の形態を構成すると考えることができる。
【０１１８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１９】
１  ネットワークシステム
１０，１０Ａ，１０Ｂ  携帯端末
２０  管理サーバ
４０，５０，６０  情報提供システム
４１，５１  表示制御サーバ
４２，４２Ａ，４２Ｂ，５２，５２Ａ，５２Ｂ  表示端末
４２５２  ガイダンス情報
４２６  表示手段
５３  ＬＡＮ網
７０  データ通信網
【図１】
2012008612.tif 000003
【図２】
2012008612.tif 000004
【図３】
2012008612.tif 000005
【図６】
2012008612.tif 000006
【図７】
2012008612.tif 000007
【図８】
2012008612.tif 000008
【図９】
2012008612.tif 000009
【図１０】
2012008612.tif 000010
【図１１】
2012008612.tif 000011
【図１２】
2012008612.tif 000012
【図１３】
2012008612.tif 000013
【図１４】
2012008612.tif 000014
【図１５】
2012008612.tif 000015
【図１６】
2012008612.tif 000016
【図１７】
2012008612.tif 000017
【図１８】
2012008612.tif 000018
【図１９】
2012008612.tif 000019
【図２０】
2012008612.tif 000020
【図４】
2012008612.tif 000021
【図５】
2012008612.tif 000022